(57)【要約】      （修正有）【課題】湯たんぽの容器が過大に膨張すると自動的に通電を停止させる。【解決手段】容器１は防水布２を上下に重ね、周縁３をヒートシールして作られたもので、容器１の上側にコネクター７を取り付ける。これに嵌め込むプラグ６は膨張検出装置２０に取り付けられている。膨張検出装置２０は、支持台２１の上にアーム２２が上下に回動できるように枢支されている。アームのヘッド部２２ａに電源プラグ６を下向きに突設する。アーム２２の下には杆体２４が延びており、アーム２２が回動したときにこの杆体でオンオフされるように、ベース２１の中にマイクロスイッチ２５を組み込む。【選択図】図１
0003111222.tif 000002
【実用新案登録請求の範囲】
【請求項１】
防水布製の容器の中に蓄熱液を貯留し、該容器内に組み込んだ電気加熱装置で該蓄熱液を加熱するようにした電気湯たんぽにおいて、ガスが容器内に残っていて加熱時に容器が過大に膨張した場合、これを検出して通電を自動的に止める膨張検出装置を設けたことを特徴とする電気湯たんぽ。
【請求項２】
該膨張検出装置が、支持台に上下に回動自在に枢支されたアームの先に、湯たんぽ本体の上部に設けられたコネクターに嵌入する電源プラグを取り付け、該アームの回動に応じて作動し、該プラグに送られる電源をオンオフするスイッチを設けた請求項１に記載の電気湯たんぽ。
【考案の詳細な説明】
【技術分野】
【０００１】
本考案は寝床や足を暖めるための湯たんぽに関する。
【背景技術】
【０００２】
従来、電気加熱式の湯たんぽが知られており、これは、防水布で作られた容器の中に蓄熱液を入れておき、これに通電加熱して暖めてから、使用するものである（実用新案登録第３１０８０６８号）。
【０００３】
この種の湯たんぽは、従来のように、使用する前に熱湯を入れる手間が不用であるという特徴がある。反面、継続使用していると、蓄熱液からわずかであるがガスが生じこれが容器内に溜まってくる。溜まったガスは弁から抜くことができるが、それを怠リ、ガスが溜まったまま加熱すると、容器が膨張して破裂するおそれもある。
【考案の開示】
【考案が解決しようとする課題】
【０００４】
この考案はこのような湯たんぽの問題点を解消するために、容器が過大に膨張すると通電を停止させるようすることを課題とする。
【課題を解決するための手段】
【０００５】
この発明の電気湯たんぽは、防水布製の容器の中に蓄熱液を貯留し、これを、内蔵した電気加熱装置で加熱するようにしたものであるが、ガスが容器内に残っていて加熱時に容器が過大に膨張した場合、これを検出して通電を自動的に止める膨張検出装置を設けたことを特徴とする（請求項１）。
【０００６】
このように、膨張検出装置を設けたので、加熱時に、容器内に溜まっていたガスが膨張して、容器が破損する事故を未然に防ぐことができる。、
【０００７】
膨張検出装置は、支持台に上下に回動自在にアームを枢支し、アームの先に、湯たんぽ本体の上部に設けられた電源コネクターに嵌入する電源プラグを取り付ける。さらに、アームの回動に応じて作動するスイッチを設けて成り、このスイッチは電源プラグに送られる電源をオンオフするように接続されている（請求項２）。使用するときは、アームを下げるようにして、アームの先の電源プラグを、湯たんぽの上に設けられた電源コネクターに嵌入する。この状態では、スイッチがオンになっており、湯たんぽは給電されて温度が徐々に上昇して行き、適当な温度になると、通常はサーモスタットが働き、通電がストップする。
【０００８】
容器内にガスが溜まっている場合は、温度が上がると容器が膨れて厚みが増してくるので、アームが上向きに回動し、あるところまで来るとスイッチが切れ、通電が止まる。こうして、容器の破損が未然に防止される。
【考案を実施するための最良の形態】
【０００９】
この湯たんぽの容器１は、六角形に裁断した防水布２を上下に重ね、周縁３をヒートシールして作られたもので、中に水を満たすと饅頭のような形になる（図１および図２）。もちろん、形状はこれに限定されるものではない。防水布２には例えば塩化ビニルシートを使うことができ、薄いものを何枚か重ねてを使用してもよい。容器のサイズの一例をあげると、直径20cm、内容積1リットルほどである。
【００１０】
容器１の上側には、商用交流電源（100v）を受け入れるためのコネクター７を取り付ける。図２および図３に示すように、容器内においてコネクター７の裏側から防水チューブ８が延びており、その中を通る電線９の先に一対の電極棒１０とサーモスタット１１が設けられる。コネクター７の片隅に注水口１４を設け、注水口にはメクラ栓１５で閉じるようにする。メクラ栓が外れたとき、液漏れがおきないよう、注水口の内側には逆止弁１６を設けておく。
【００１１】
コネクター７に嵌め込む電源プラグ６は膨張検出装置２０に取り付けられている。膨張検出装置２０は、支持台２１の上にアーム２２が上下に回動できるようにピン２３で枢支されている。支持台２１の下部から前にベース２１ａが延びている。アームのヘッド部２２ａに、電源プラグ６を下向きに突設する。同ヘッド部には、通電表示の赤と待機標示の緑の各発光ダイオード１２、１３を設ける。アーム２２の下には杆体２４が「く」の字形に延びており、アーム２２が回動したときにこの杆体でオンオフされるように、支持台２１の中にマイクロスイッチ２５を組み込む。
【００１２】
図４は結線図であり、一対の電極１０、１０、サーモスタット１１およびマイクロスイッチ２５を直列に接続する。
【００１３】
この湯たんぽの内部には蓄熱液１７（0.1重量パーセントほどの薄い塩水）を入れておく。
【００１４】
使用するときは、容器１の下にベース２１ａを差し入れ、アーム２２を下向きに回動して、プラグ６をコネクター７に押し込む。すると、図２に示すように、杆体２４がマイクロスイッチの触手２５を押し、スイッチはオン状態になる。こうして電源コード４を商用電源（ＡＣ100v）に接続すると、一対の電極１０、１０の間に電圧が印加され、蓄熱液１７に電流が流れ（このとき赤ＬＥＤ１２が点く。）、ジュール熱が生じて液の温度が上昇していく。こうして１０分ほど経つと、液温が７０℃くらいまで上がり、サーモスタット１１が切れて、通電が止まる（このとき、赤ＬＥＤが消え、緑ＬＥＤ１３が点灯する）。こうなったら、プラグ６を外し、湯たんぽを寝床に持ち込んで使用する。通常の使用であれば、冬季でも８時間は温度を保つ。
【００１５】
この種の湯たんぽでは、蓄熱液からガス分が微量であるが発生するので、時々、メクラ栓１５を抜いてガス抜きを行うことが必要である。
【００１６】
ガス抜きを怠って通電した場合、図２に鎖線で示すように、ガスが膨張して容器１が膨張する。すると容器の厚みが増すので、アーム２２が上向きに回動し、杆体２４がマイクロスイッチ２５から離れてスイッチが切れ、電極１０への通電が止まる。このとき、赤および緑のＬＥＤは二つとも消える。こうなると、それ以上の加熱は行われなくなり、安全が図られる。こうなったときは、ガス抜きを行ってから、再び通電を行う。
【図面の簡単な説明】
【００１７】
【図１】湯たんぽの斜視図である。
【図２】湯たんぽの断面図である。
【図３】発熱部の斜視図である。
【図４】結線図である。
【符号の説明】
【００１８】
１    容器
６    プラグ
７    コネクター
１０  電気加熱装置としての電極
１５  メクラ栓
１７  蓄熱液
２０  膨張検出装置
２２  アーム
２５  マイクロスイッチ
【図１】
0003111222.tif 000003
【図２】
0003111222.tif 000004
【図３】
0003111222.tif 000005
【図４】
0003111222.tif 000006